(57)【要約】      （修正有）【課題】汎用性の高いアクセサリ取付枠を備える光学アクセサリを提供すること。【解決手段】被写体側先端付近に全周にわたってつながる位置決め溝が設けられるレンズ装置の被写体側先端に装着する光学アクセサリにおいて少なくともレンズ装置に嵌り込むアクセサリ取付枠と略Ｃ字型に成型された弾性部材と、レンズ装置と光学アクセサリの固定のための操作部材と、操作部材を操作することにより移動する可動部材とを備え弾性部材には両端に係合部が設けられアクセサリ取付枠には弾性部材を納める収納溝と、弾性部材の一方の係合部が係合する固定端と、弾性部材のもう一方の係合部が貫通する切り欠きが設けられ、弾性部材の係合部は切り欠きを通して可動部材と係合し、操作部材を締め付け方向に操作すると、弾性部材のＣ字型部の径が縮小し、弾性部材が位置決め溝に嵌り込ながらレンズ装置の被写体側先端部を締め付けることを特徴とする構成とした。【選択図】図１
2018025575.tif 000002
【特許請求の範囲】
【請求項１】
被写体側先端付近に全周にわたってつながる位置決め溝が設けられるレンズ装置の被写体側先端に装着する光学アクセサリにおいて、該光学アクセサリは少なくとも、前記レンズ装置に嵌り込むアクセサリ取付枠と、Ｃ字型に成型された弾性部材と、前記レンズ装置と前記光学アクセサリの固定のための操作を行う操作部材と、該操作部材を操作することにより移動する可動部材とを備え、前記弾性部材には両端に係合部が設けられ、前記アクセサリ取付枠には前記弾性部材を納める収納溝と、前記弾性部材の一方の係合部が係合する固定端と、前記弾性部材のもう一方の係合部が貫通する切り欠きが設けられ、前記弾性部材の前記係合部は前記切り欠きを通して前記可動部材と係合し、前記操作部材を締め付け方向に操作すると、前記弾性部材のＣ字型部の径が縮小し、前記弾性部材が前記位置決め溝に嵌り込みながら前記レンズ装置の被写体側先端部を締め付けることを特徴とする光学アクセサリ。
【請求項２】
前記弾性部材は前記操作部材を解放方向に操作するとＣ字型部の径が拡大し、前記レンズ装置の被写体側先端の外径よりＣ字型部の内径が大きくなり、前記操作部材を締め付け方向に操作するとＣ字型部の径が縮小し、前記レンズ装置の被写体側先端の前記位置決め溝の外径よりＣ字型部の内径が小さくなることを特徴とする請求項１に記載の光学アクセサリ。
【請求項３】
前記弾性部材は前記位置決め溝の深さよりも半径の大きな円形断面の線ばねであり、前記位置決め溝の光軸方向の壁面はテーパー面になっており、前記レンズ装置と前記光学アクセサリを固定する時は、前記弾性部材は前記テーパー面と前記位置決め溝の壁面に同時に接触することを特徴とする請求項１または２に記載の光学アクセサリ。
【発明の詳細な説明】
【技術分野】
【０００１】
本発明は、レンズのアクセサリに関し、特にレンズの被写体側に取り付けられる光学アクセサリに関するものである。
【背景技術】
【０００２】
カメラやビデオカメラなど撮像装置のレンズ装置は、レンズ装置を置いた際などにレンズを傷つけないよう保護するため、一般的に最前面のレンズよりも鏡筒の被写体側端を被写体側に突出させている。
【０００３】
従来から、このようなレンズ装置の前方（被写体側）に取付けられる光学アクセサリが市販されている。例えば、レンズフード（特許文献１）や光学フィルタやテレコンバータ、ワイドコンバータ、ワイドアタッチメント、フィッシュアイアタッチメント、クローズアップレンズなどが知られている。
【０００４】
光学アクセサリのレンズ装置への取付けについて、レンズフードのレンズ装置への取り付けの例を取り上げ、以下に説明する。アクセサリ取付枠の内径とレンズ装置の光学アクセサリを取り付ける部分の外径は略同径であり、取り付けの際にはまずアクセサリ取付枠をレンズ装置の前方から挿入する。次に、アクセサリ取付枠の後端がレンズ装置外径部のフランジ部に当接したところで、アクセサリ取付枠のロックネジを締め付ける。アクセサリ取付枠の取り付け部内径側には、一端をアクセサリ取付枠に固定された円弧状の係止部材が配設されている。
【０００５】
ロックネジを締め付けると押圧されて弾性変形した前記係止部材の一部がレンズ装置外径部に設けられた溝に係合し、光学アクセサリとしてのレンズフードをレンズ装置に固定することができる。また、特許文献２では、レンズ鏡筒と光学アクセサリにバヨネット係合部を設けることにより、光学アクセサリをレンズに取り付ける構造が紹介されている。
【先行技術文献】
【特許文献】
【０００６】
【特許文献１】特開平９−２１１３０３号公報
【特許文献２】特開２００６−８４６０４号公報
【発明の概要】
【発明が解決しようとする課題】
【０００７】
しかしながら、上述の特許文献１には、従来技術の光学アクセサリは固定によってレンズ装置が変形し、変形がレンズの繰出し機構に伝わることでレンズ装置の作動が低くなってしまうとの記載がある。
【０００８】
特許文献１では、その課題を解決するために、レンズ装置のアクセサリ取付け部とレンズ繰出し機構とを別部材で構成し、光学アクセサリの固定による変形がレンズ繰出し機構に伝わらないようにする方法を提案している。しかし、光学アクセサリでの改善では無いため、特許文献１の技術が適用されていない別のレンズ装置に特許文献１の光学アクセサリを取り付ける場合には、レンズ装置の作動が低くなる恐れがあり、光学アクセサリの汎用性を高めることはできない。
【０００９】
また、特許文献２のようにバヨネット構造を設ける場合、光学アクセサリの取付によってレンズ鏡筒が変形する可能性は低くなる。しかし、レンズ鏡筒の形状が特殊になるため、光学アクセサリの汎用性が低くなる恐れがある。
【００１０】
従って、光学アクセサリの取り付けによって発生するレンズ装置の変形に起因する操作性の低下の防止と、光学アクセサリの汎用性を高めることの両立が課題になっている。
【００１１】
そこで、本発明の目的は、レンズ装置の操作性を低下させることの無い、汎用性の高いアクセサリ取付枠を備える光学アクセサリを提供することである。
【課題を解決するための手段】
【００１２】
上記目的を達成するために、本発明は、被写体側先端付近に全周にわたってつながる位置決め溝が設けられるレンズ装置の被写体側先端に装着する光学アクセサリにおいて、光学アクセサリは少なくとも、レンズ装置に嵌り込むアクセサリ取付枠と、略Ｃ字型に成型された弾性部材と、レンズ装置と光学アクセサリの固定のための操作を行う操作部材と、操作部材を操作することにより移動する可動部材とを備え、弾性部材には両端に係合部が設けられ、アクセサリ取付枠には弾性部材を納める収納溝と、弾性部材の一方の係合部が係合する固定端と、弾性部材のもう一方の係合部が貫通する切り欠きが設けられ、弾性部材の係合部は切り欠きを通して可動部材と係合し、操作部材を締め付け方向に操作すると、弾性部材のＣ字型部の径が縮小し、弾性部材が位置決め溝に嵌り込みながらレンズ装置の被写体側先端部を締め付けることを特徴とする。
【発明の効果】
【００１３】
本発明によれば、レンズ装置の操作性を低下させることの無い、汎用性の高いアクセサリ取付枠を備える光学アクセサリを提供することができる。
【図面の簡単な説明】
【００１４】
【図１】本発明の光学アクセサリの代表的な構成を示す図
【図２】本発明のアクセサリ取付枠の代表的な構成の断面図
【図３】本発明のアクセサリ取付枠にレンズを挿入した時の状態を示す図
【図４】本発明のアクセサリ取付枠にレンズを挿入した時の径方向の一部の断面図
【図５】本発明のアクセサリ取付枠とレンズを固定した時の状態を示す図
【図６】本発明のアクセサリ取付枠とレンズを固定した時の径方向の一部の断面図
【図７】本発明の追加の効果を示す径方向の一部の断面図
【発明を実施するための形態】
【００１５】
以下に、本発明の好ましい実施の形態を、添付の図面に基づいて詳細に説明する。図１は、本発明の実施形態にかかわる光学アクセサリの構成を示す図である。
【００１６】
［実施例］
以下、図１から図６を参照して、本発明の実施例による、光学アクセサリについて説明する。
【００１７】
図１には、本発明の代表的な構成を示す。アクセサリ取付枠１には、光学アクセサリとしてレンズフード２が取り付けられる。アクセサリ取付枠１の内径１ａの一部には収納溝１ｂが設けられる。弾性部材３は円形断面の線ばね素材を略Ｃ字型に形成したものであり、両端には係合部３ａおよび３ｂがＣ字型部の外側に向けて折り曲がるようにして設けられる。
【００１８】
操作部材４にはツマミ４ａとネジ部４ｂと係合部４ｃが設けられる。可動部材５は円筒形状からなり、内径の雌ネジ５ａと、係合穴５ｂが設けられる。規制手段としてのネジ６および７はアクセサリ取付枠１に固定される。レンズ装置８の被写体側先端には、アクセサリ取付枠１の内径１ａに挿入される外径部８ａとアクセサリ取付枠１が突き当たるフランジ部８ｂが設けられる。外径部８ａには、弾性部材３の素材の直径より深さの浅い位置決め溝８ｃが設けられ、位置決め溝８ｃは外径部８ａの一部を全周にわたって切り欠いた形状を備える。
【００１９】
図２には本発明のアクセサリ取付枠の代表的な構成を示す。収納溝１ｂの深さと幅を、弾性部材３の素材の断面径より少なくとも同じか、大きく構成することにより、弾性部材３は収納溝１ｂの中に納められる。また、弾性部材３の係合部を除くＣ字型部の外径は、アクセサリ取付枠１の収納溝１ｂの外径と少なくとも同じか、大きくなるように構成する。それにより、弾性部材３は収納溝１ｂに対して外側に付勢した状態で、アクセサリ取付枠１の内径１ａにはみ出すことなく組み込まれるようになる。
【００２０】
アクセサリ取付枠１には固定壁１ｃを挟んだ両側に、内径から外径に貫通し、周方向に延びる切り欠き１ｄと１ｆが設けられる。切り欠き１ｄと１ｆは収納溝１ｂと光軸方向に重なる位置に設けられ、弾性部材３の係合部３ａと３ｂはそれぞれ切り欠き１ｄと１ｆから外径側に突き出す。さらに切り欠き１ｄの端部は固定端１ｅとして、弾性部材３の係合部３ａと当接する。
【００２１】
操作部材４は、アクセサリ取付枠１の固定壁１ｃに設けられた穴からネジ部４ｂを突き出し、係合部４ｃにアクセサリ取付枠１に固定されるネジ６の先端が引っかかる。それにより、アクセサリ取付枠１に対して操作部材４の軸方向の移動が規制され、回転のみが可能になる。
【００２２】
可動部材５は操作部材４と固定壁１ｃを挟んだ反対側の溝１ｈ内に構成され、内径に設けられた雌ネジ５ａは操作部材４のネジ部４ｂと螺合する。また、係合穴５ｂに弾性部材３の係合部３ｂが係合することで可動部材５の回転方向の規制ができる。それにより、操作部材４のツマミ４ａを操作することで可動部材５は溝１ｈ内を操作部材４の軸方向に移動する。さらにアクセサリ取付枠１に固定されるネジ７の先端が溝１ｈに突き出すことにより、可動部材５が操作部材４から脱落しない範囲で可動部材５の移動量を制限する。
【００２３】
ツマミ４ａを解放方向に操作すると、可動部材５が図２の上側に移動する。それにより弾性部材３の係合部３ａと３ｂが離れるため、弾性部材３のＣ字型部の径が広がる。ツマミ４ａを締め付け方向に操作すると、可動部材５が図２の下側に移動する。それにより弾性部材３の係合部３ａと３ｂ近づくため、弾性部材３のＣ字型部の径が縮まる。
【００２４】
図３には本発明の光学アクセサリにレンズ装置８を挿入した状態を示す。操作部材４のツマミ４ａを解放方向に操作すると、アクセサリ取付枠１にレンズ装置８が挿入可能になる。この時、可動部材５と固定壁１ｃとの間にはＸ１の隙間が開いている。
【００２５】
図４にはその時の径方向の断面の一部を示す。弾性部材３を収納溝１ｂ内に納められているため、アクセサリ取付枠１とレンズ装置８先端の外径部８ａが引っかかることなく、アクセサリ取付枠１とフランジ部８ｂとが当接する位置まで挿入される。
【００２６】
図５は本発明の光学アクセサリとレンズ装置８を固定した状態を示す。操作部材４のツマミ４ａを締め付け方向に操作すると、ネジ送りにより可動部材５が図中下側に移動し、可動部材５と固定壁１ｃとの間の隙間がＸ２になる。
【００２７】
図６にはその時の径方向の断面の一部を示す。可動部材３が移動することで、係合部３ｂが係合部３ａに近づき、弾性部材３のＣ字型部の径が縮まる。弾性部材３はアクセサリ取付枠１の内径よりも径が縮まり、レンズ装置８に設けられた置決め溝８ｃにはまり込む。ツマミ４ａをさらに操作すると、弾性部材３は位置決め溝８ｃの底面に当接し、位置決め溝８ｃの底面を締め付けることにより、アクセサリ取付枠１とレンズ装置８とは固定される。
【００２８】
以上説明したように、本発明の光学アクセサリは、締め付け操作によって弾性部材のＣ字型部が全体的に変形して径を縮めてレンズ装置に当接するため、取り付け部の一部に対して力を加えることが無い。そのためにレンズ装置の被写体側先端部が変形をおこしにくく、変形がレンズの繰出し機構に伝わることによる操作性の低下を防止することができる。また、レンズ装置に特別な構造や強度を持たせる必要が無いため、取り付け径が適合すれば、レンズの種類を選ぶことが無く光学アクセサリを使用することが可能になる。
【００２９】
また、操作部材４のツマミ４ａを締め付け方向に操作して、弾性部材３のＣ字型部の内径が外径部８ａの外径より小さくなった時から、位置決め溝８ｃの底に突き当たるまでの間は、弾性部材３が収納溝１ｂと位置決め溝８ｃの両方の光軸方向の壁に引っかかる。そのため、ツマミ４ａを締め切っていない状態で光学アクセサリが光軸方向に移動しても、光学アクセサリがレンズ装置から落下することを防止することができる。
【００３０】
さらに、図７に示すように位置決め溝８ｃに斜面８ｄを設け、位置決め溝８ｃの深さを弾性部材３の素材の半径より浅くし、締め付け時に弾性部材３が収納溝１ｂの壁１ｉと、斜面８ｄとに当接する構成にすることによって、矢印Ｙ方向に力が発生する。アクセサリ取付枠１とフランジ部８ｂとは当接するため、アクセサリ取付枠１はフランジ部８ｂに向けて押しつけられる。それにより、固定と同時にアクセサリ取付枠１のレンズ装置８の光軸方向の位置を安定させることが可能になる。
【００３１】
以上、本発明の好ましい実施形態について説明したが、本発明はこれらの実施形態に限定されず、その要旨の範囲内で種々の変形及び変更が可能である。
【産業上の利用可能性】
【００３２】
本発明は、レンズのアクセサリに関し、特にレンズの被写体側に取り付けられる光学アクセサリに好適なものである。
【符号の説明】
【００３３】
１  ：  アクセサリ取付枠
１ｂ：  収納溝
１ｅ：  固定端
１ｆ：  切り欠き
２  ：  レンズフード（光学アクセサリ）
３  ：  弾性部材
３ａ、３ｂ  ：  係合部
４  ：  操作部材
５  ：  可動部材
８  ：  レンズ装置
８ａ：  外径部
８ｃ：  位置決め溝
【図１】
2018025575.tif 000003
【図２】
2018025575.tif 000004
【図３】
2018025575.tif 000005
【図４】
2018025575.tif 000006
【図５】
2018025575.tif 000007
【図６】
2018025575.tif 000008
【図７】
2018025575.tif 000009